【手続補正書】
【提出日】平成19年12月6日(2007.12.6)
【手続補正１】
【補正対象書類名】明細書
【補正対象項目名】特許請求の範囲
【補正方法】変更
【補正の内容】
【特許請求の範囲】
【請求項１】  接触センサにおいて、
底面および上面を有する第１導電性発泡エラストマ層と、
底面および上面を有する第２導電性発泡エラストマ層と、
前記の第１導電性発泡エラストマ層の上面に接触する第１電極と、
前記の第２導電性発泡エラストマ層の底面に接触する第２電極とが設けられており、
前記の第２導電性発泡エラストマ層の上面は、支持領域にて前記の第１導電性発泡エラストマ層の底面を支持しており、
前記の第１および第２導電性発泡エラストマ層は、当該層に加えられた圧力に依存する可変の表面抵抗をそれぞれ有しており、
第１および第２導電性発泡エラストマ層間の接触抵抗が測定され、当該の接触抵抗は、前記の支持領域に加えられた少なくとも１つの圧力に依存し、
前記の導電性発泡エラストマ層は共に２次元領域に相応して成形されており、
該領域は、コンピュータまたは他のデバイスに対する入力インタフェースを成すコンフィギュレーション可能なフレキシブルキーボードの一部分であり、
該コンフィギュレーション可能なフレキシブルキーボードは、前記の第１および第２導電性発泡エラストマ層のフレキシブル特性に起因してフレキシブルであることを特徴とする
接触センサ。
【請求項２】  前記の第１導電性発泡エラストマ層と第２導電性発泡エラストマ層との間の当該層の縁部に中間層が挿入されている、
請求項１に記載の接触センサ。
【請求項３】  前記の電極は、相応する導電性発泡エラストマ層に押圧されるワイヤメッシュから作製される、
請求項１に記載の接触センサ。
【請求項４】  前記の導電性発泡エラストマ層は共に平行六面体であり、
平行六面体の各々にて前記の導電性発泡エラストマ層の対向する側面領域に沿って２つの電極がはめ込まれる、
請求項１に記載の接触センサ。
【請求項５】  前記の導電性発泡エラストマ層は共にEVOZOTE(R)発泡材料を含んでいる、
請求項１に記載の接触センサ。
【請求項６】  前記の第１および第２の導電性発泡エラストマ層は、異なる厚さおよび／または異なる材料特性を有する、
請求項１に記載の接触センサ。
【請求項７】  前記の導電性発泡エラストマ層は共に２次元の曲線領域に沿って成形されている、
請求項１に記載の接触センサ。
【請求項８】  接触センサにおいて、
底面および上面を有する第１導電性発泡エラストマ層と、
底面および上面を有する第２導電性発泡エラストマ層と、
前記の第１導電性発泡エラストマ層の上面に接触する第１電極と、
前記の第２導電性発泡エラストマ層の底面に接触する第２電極とが設けられており、
前記の第２導電性発泡エラストマ層の上面は、支持領域にて前記の第１導電性発泡エラストマ層の底面を支持しており、
前記の第１および第２導電性発泡エラストマ層は、当該層に加えられた圧力に依存する可変の表面抵抗をそれぞれ有しており、
第１および第２導電性発泡エラストマ層間の接触抵抗が測定され、
当該の接触抵抗は、前記の支持領域に加えられた少なくとも１つの圧力に依存し、
前記の導電性発泡エラストマ層は共に２次元領域に相応して成形されており、
該２次元領域は、コンピュータまたは他のデバイスに対する入力インタフェースを成すコンフィギュレーション可能なフレキシブルキーボードにおける前記支持領域の一部分であり、
該コンフィギュレーション可能なフレキシブルキーボードはキーを有しており、
当該キーの個数はコンフィギュレーション可能および再配置可能であり、
前記のコンフィギュレーション可能なフレキシブルキーボードは、前記の第１および第２導電性発泡エラストマ層のフレキシブル特性に起因してフレキシブルであることを特徴とする
接触センサ。
【請求項９】  接触センサにおいて、
底面および上面を有する第１導電性発泡エラストマ層と、
底面および上面を有する第２導電性発泡エラストマ層と、
前記の第１導電性発泡エラストマ層の上面に接触する第１電極と、
前記の第２導電性発泡エラストマ層の底面に接触する第２電極とが設けられており、
前記の第２導電性発泡エラストマ層の上面は、支持領域にて前記の第１導電性発泡エラストマ層の底面を支持しており、
前記の第１および第２導電性発泡エラストマ層は、当該層に加えられた圧力に依存する可変の表面抵抗をそれぞれ有しており、
第１および第２導電性発泡エラストマ層間の接触抵抗が測定され、
当該の接触抵抗は、前記の支持領域に加えられた少なくとも１つの圧力に依存し、
前記の導電性発泡エラストマ層は共に２次元領域に相応して成形されており、
該２次元領域は、コンピュータまたは他のデバイスに対する入力インタフェースを成すコンフィギュレーション可能なフレキシブルキーボードにおける前記支持領域の一部分であり、
該コンフィギュレーション可能なフレキシブルキーボードはキーを有しており、
当該キーのサイズはコンフィギュレーション可能および再配置可能であり、
前記のコンフィギュレーション可能なフレキシブルキーボードは、前記の第１および第２導電性発泡エラストマ層のフレキシブル特性に起因してフレキシブルであることを特徴とする
接触センサ。
【請求項１０】  接触センサにおいて、
底面および上面を有する第１導電性発泡エラストマ層と、
底面および上面を有する第２導電性発泡エラストマ層と、
前記の第１導電性発泡エラストマ層の上面に接触する第１電極と、
前記の第２導電性発泡エラストマ層の底面に接触する第２電極とが設けられており、
前記の第２導電性発泡エラストマ層の上面は、支持領域にて前記の第１導電性発泡エラストマ層の底面を支持しており、
前記の第１および第２導電性発泡エラストマ層は、当該層に加えられた圧力に依存する可変の表面抵抗をそれぞれ有しており、
第１および第２導電性発泡エラストマ層間の接触抵抗が測定され、
当該の接触抵抗は、前記の支持領域に加えられた少なくとも１つの圧力に依存し、
前記の２つの導電性発泡エラストマ層は２次元領域に相応して成形されており、
該２次元領域は、コンピュータまたは他のデバイスに対する入力インタフェースを成すコンフィギュレーション可能なフレキシブルキーボードにおける前記支持領域の一部分であり、
該コンフィギュレーション可能なフレキシブルキーボードはキーを有しており、
当該キーのポジションはコンフィギュレーション可能および再配置可能であり、
前記のコンフィギュレーション可能なフレキシブルキーボードは、前記の第１および第２導電性発泡エラストマ層のフレキシブル特性に起因してフレキシブルであることを特徴とする
接触センサ。
【請求項１１】  前記の他のデバイスは、パーソナルディジタルアシスタントまたは移動電話またはラップトップコンピュータを含む、
請求項１記載の接触センサ。
【請求項１２】  前記のフレキシブルキーボードは、ポータブルコンピュータのケースの一部分に組み込まれている、
請求項１記載の接触センサ
【請求項１３】  前記のフレキシブルなキーボードを構成して、指の接触に基づき入力を行わせるマウスパッドである入力インタフェースが得られるようにした、
請求項１記載の接触センサ。
【請求項１４】  接触センサにおいて、
底面および上面を有する第１導電性発泡エラストマ層と、
底面および上面を有する第２導電性発泡エラストマ層と、
前記の第１導電性発泡エラストマ層の上面に接触する第１電極と、
前記の第２導電性発泡エラストマ層の底面に接触する第２電極とが設けられており、
前記の第２導電性発泡エラストマ層の上面は、支持領域にて前記の第１導電性発泡エラストマ層の底面を支持しており、
前記の第１および第２導電性発泡エラストマ層は、当該層に加えられた圧力に依存する可変の表面抵抗をそれぞれ有しており、
第１および第２導電性発泡エラストマ層間の接触抵抗が測定され、
当該の接触抵抗は、前記の支持領域に加えられた少なくとも１つの圧力に依存し、
前記の２つの導電性発泡エラストマ層は２次元領域に相応して成形されており、
該２次元領域はフレキシブルキーボードにおける前記支持領域の一部分であり、
前記のコンフィギュレーション可能なフレキシブルキーボードは、前記の第１および第２導電性発泡エラストマ層のフレキシブル特性に起因してフレキシブルであることを特徴とする
接触センサ。